(57)【要約】本発明は、累進焦点レンズのデザインおよび不要なレンズ非点収差が従来の累進焦点レンズに比べて低減されたレンズを提供する。この発明のレンズは累進的なデザイン面と累減的なデザイン面との合成面である少なくとも１つの面を含んでいる。
2004524582.tif 000002
【特許請求の範囲】
【請求項１】
約３００を下回るディストーションを有する標準化レンズを含む、累進焦点レンズ。
【請求項２】
累進面と累減面との合成面である少なくとも１つの面をさらに含む、請求項１記載の累進焦点レンズ。
【請求項３】
合成面は、累進面および累減面のそれぞれの局在した最大非点収差の絶対値の総和と比べて、約０．１２５ディオプトリだけ下回る局在した不要な最大非点収差を示す、請求項２記載の累進焦点レンズ。
【請求項４】
第２の累進面をさらに含む、請求項２または請求項３記載の累進焦点レンズ。
【請求項５】
累減面である第２の面をさらに含む、請求項２または請求項３記載の累進焦点レンズ。
【請求項６】
累進面と累減面との合成面を含み、該合成面は累進面および累減面のそれぞれの局在した最大非点収差の絶対値の総和と比べて、少なくとも約０．１２５ディオプトリだけ下回る局在した不要な最大非点収差を示す、累進面。
【請求項７】
不要な非点収差を有する少なくとも１つの第１の領域を含む累進面を設計するステップａ）と、不要な非点収差を有する少なくとも１つの第２の領域を含む累減面を設計するステップｂ）と、前記累進的なデザイン面と前記累減的なデザイン面とを組み合わせて累進的なデザインの合成面を形成するステップｃ）とを含み、ここで前記不要な非点収差を有する第１の領域および第２の領域は実質的に整列されている、累進焦点レンズの設計方法。
【請求項８】
累進的なデザイン面および累減的なデザイン面のそれぞれは、ハード用デザイン、ソフト用デザインまたはその組み合わせのうちの１つである、請求項７記載の累進焦点レンズの設計方法。
【請求項９】
累進的なデザイン面および累減的なデザイン面のそれぞれは、ハード用デザインである、請求項７記載の累進焦点レンズの設計方法。
【請求項１０】
累進的なデザイン面および累減的なデザイン面のそれぞれは、ソフト用デザインである、請求項７記載の累進焦点レンズの設計方法。
【請求項１１】
デザインを合成した面から形成された１つの表面は、累進面および累減面のそれぞれの局在した最大非点収差の絶対値の総和と比べて、約０．１２５ディオプトリだけ下回る局在した不要な最大非点収差を示す、請求項７記載の累進焦点レンズの設計方法。
【請求項１２】
合成デザイン面は、該合成面の溝の両サイド上に局在した不要な最大非点収差を示す１つ以上の領域を含む、請求項７記載の累進焦点レンズの設計方法。
【請求項１３】
累進的なデザイン面および累減的なデザイン面は、ベースカーブから逸脱する弛みとして表されている、請求項７記載の累進焦点レンズの設計方法。
【請求項１４】
基準曲率は凹面曲率または凸面曲率である、請求項１３記載の累進焦点レンズの設計方法。
【請求項１５】
ステップｃ）は、次の等式：
Ｚ（ｘ，ｙ）＝Σａi Ｚi （ｘ，ｙ）          （Ｉ）
に従う、累進的なデザイン面および累減的なデザイン面の双方の弛み値を合計することによって実行され、ここでＺは点（ｘ，ｙ）におけるベースカーブから逸脱する合成面の弛み値であり、Ｚi は点（ｘ，ｙ）において結合されたｉ番目の表面に関して逸脱する弛みであり、ａi は係数である、請求項７記載の累進焦点レンズの設計方法。
【発明の詳細な説明】
【技術分野】
【０００１】
本発明は、多焦点の眼用レンズに関するものである。特に、この発明は累進焦点レンズのデザインおよび不要なレンズ非点収差が従来の累進焦点レンズに比べて低減されたレンズを提供する。
【背景技術】
【０００２】
屈折異常症の矯正への眼用レンズの用途は周知である。例えば、累進焦点レンズ（ＰＡＬ’ｓ）などの多焦点レンズは老眼治療に使用されている。ＰＡＬの累進面は、遠方から近傍に、あるいはレンズの上から下にかけて屈折力を垂直方向に増加させる漸進的で連続的な推移において遠方、中間および近傍の視力を与えるものである。
【０００３】
ＰＡＬ’ｓは、そのＰＡＬ’ｓが二重焦点レンズおよび三重焦点レンズなどの他の多焦点レンズに見出される屈折力を異にする視野領域間に可視突起をもたないので、装着者に気に入られている。しかしながら、ＰＡＬ’ｓ固有の欠点は不要な非点収差、すなわち１つまたはそれ以上のレンズ表面によって導入されあるいは齎される非点収差である。ハード用デザインのＰＡＬ’ｓでは、不要な非点収差がレンズのチャネルおよび近用視野領域に隣接する。ソフト用デザインのＰＡＬ’ｓでは、不要な非点収差が遠用視野領域に延びる。一般に、両デザインでは、レンズの光学中心またはその近傍における不要なレンズ非点収差はレンズの近い視野の加入屈折力にほぼ対応する最大値に達する。
【０００４】
様々な成果を伴って不要な非点収差を低減させようとする多くのＰＡＬデザインが知られている。そのようなデザインの１つは、米国特許第５，７２６，７３４号に開示されており、ハード用デザインおよびソフト用デザインの双方の弛み値（sag value）を結合することによって算定された合成デザインを使用するものである。上記米国特許に開示されたデザインは、合成デザインに関する局在した不要な最大非点収差が局在した不要な最大非点収差におけるハード用デザイン領域およびソフト用デザイン領域による寄与の総和になっている。このため、このデザインによって理解され得る局在した不要な最大非点収差における低減が制限されることになる。従って、先行技術のデザインの場合よりも、局在した不要な最大非点収差の低減量を一層多くすることを可能にするデザインが必要である。
【発明およびその好適な実施の形態の記述】
【０００５】
本発明では、合成面が累進面および累減面の双方のデザインを結合することによって形成される。不要な非点収差を減らした累進焦点レンズが累進的な面および累減的な面を合成面に結合することによって構築されることが、この発明の発見である。
【０００６】
１つの実施の形態では、この発明は、不要な非点収差を有する少なくとも１つの第１の領域を含む累進面を設計するステップａ）と、不要な非点収差を有する少なくとも１つの第２の領域を含む累減面を設計するステップｂ）と、上記累進的なデザイン面と上記累減的なデザイン面とを組み合わせて累進的なデザインの合成面を形成するステップｃ）とを含み、上記ステップａ）乃至ステップｃ）のみからなり、および、本質的に上記ステップａ）乃至ステップｃ）からなり、ここで上記不要な非点収差を有する少なくとも１つの第１の領域および第２の領域が実質的に整列されている、累進焦点面を設計する方法を提供するものである。他の実施の形態では、この発明は、上記方法によって製造された合成デザイン面の１つの面を含み、この１つの面のみからなり、および本質的に当該１つの面からなる累進焦点レンズを提供するものである。
【０００７】
「単数のレンズ」または「複数のレンズ」とは、限定することなしに、眼鏡用レンズ、コンタクトレンズ、眼内レンズ等を含むすべての眼用レンズを意味するものとする。好ましくは、この発明のレンズは眼鏡用レンズである。
【０００８】
「累進面」とは、遠用および近用の視野領域およびこれら遠近の視野領域を結合し屈折力を増加させている領域を有する連続的な球状面を意味するものとする。この発明の属する技術分野における通常の知識を有する者（以下、当業者という）は、上記累進面がレンズの凸面であれば、遠用視野領域の曲率が近用視野領域の曲率を下回り、上記累進面がレンズの凹面であれば、遠用視野領域の曲率が近用視野領域の曲率を上回ると認識するはずである。
【０００９】
「不要な非点収差の領域」とは、０．２５ディオプトリまたはそれ以上の不要な非点収差を有するレンズ面の１つの領域を意味するものとする。
【００１０】
「累減面」とは、遠用および近用の視野領域およびこれら遠近の視野領域を結合し屈折力を減少させている領域を有する連続的な球状面を意味するものとする。上記累減面がレンズの凸面であれば、遠用視野領域の曲率が近用視野領域の曲率を上回り、上記累減面がレンズの凹面であれば、遠用視野領域の曲率が近用視野領域の曲率を下回るはずである。
【００１１】
不要な非点収差の領域に関係して「整列された」とは、不要な非点収差の領域が、その領域の面が結合されて合成面を形成するときに部分的に重なるか、あるいは実質的に全体が一致するように配設されることを意味するものとする。
【００１２】
多くの光学パラメータは累進デザインを定義しかつ最適化するために慣例的に使用されている。これらのパラメータは、不要な非点収差の面積、局在した不要な最大非点収差の面積、チャネル長およびチャネル幅、遠用および近用の視野領域の横幅、近用屈折力の横幅および標準レンズディストーションを含むものである。標準レンズディストーションは、レンズの加入屈折力によって分割されたレンズの光学中心すなわち第１の基準点より下側に組み込まれた不要な非点収差である。図１を参照すると、累進焦点レンズに関し、標準レンズディストーションＤL が次の等式Ｉによって算定されることができる。
ＤL ＝ＭA ／（３Ａp ）{ＡL ／２−ＡI −πＮW2／４}                （Ｉ）
ここで、ＡL はレンズの面積であり、ＮW は近用視野領域の横幅であり、ＭA は局在した不要な最大非点収差（レンズ面上に存在する不要な非点収差の領域における測定可能な最高レベルの非点収差）であり、ＡP は第１の基準点より下側におけるｙ＝−２０ｍｍの位置でのレンズ屈折力である。ＡI は不要な非点収差が０．５ディオプトリを下回る場合における中間視野領域の面積であり、次に等式ＩＩによって算定される。
ＡI ＝ＩL ／２［ＩW ＋ＤW ］＋（ＣL −ＩL ）／２［ＩW ＋ＮW ］      （ＩＩ）
ここで、ＩW は不要な非点収差が０．５ディオプトリを下回る場合における中間領域の横幅であり、ＤW およびＮW は不要な非点収差が約０．５ディオプトリを下回る場合における遠用視野領域（ｙ＝０における）および近用視野領域（ｙ＝−２０ｍｍにおける）のそれぞれの横幅であり、ＩL はプリズムの基準点と中間視野領域における最も近い位置の横幅との間に形成されるチャネルの中心部に沿う長さである。
【００１３】
等式ＩＩの目的上、近用視野領域および中間視野領域の横幅は、近用視野領域のチャネル幅とは同義ではない。もっと正確に言えば、近用視野領域のチャネル幅が良好な視野のための臨床的に適切な閾値を基準としているのに対して、等式ＩＩの近用視野領域および中間視野領域の横幅は、０．５ディオプトリの非点収差閾値を基準としている。
【００１４】
この発明のレンズにおいては、標準レンズディストーションが従来の累進焦点レンズと比べて明白に低減されている。それゆえに、好適な実施の形態では、この発明は約３００を下回る標準レンズディストーションを有する少なくとも１つの累進面を含み、本質的に当該累進面からなり、および、当該累進面のみからなる累進焦点レンズを提供するものである。
【００１５】
この発明のレンズにおいては、加入屈折力、すなわち上記累進的なデザイン面の遠用視野領域と近用視野領域との屈折力差の量が正の値であり、累減的なデザイン面の加入屈折力が負の値である。それゆえに、上記合成面の加入屈折力が累進的なデザイン面の加入屈折力と累減的なデザイン面の加入屈折力との総和であるので、累減的なデザイン面は累進的なデザイン面から加入屈折力を減ずるように作用する。
【００１６】
累進面がその面上の特定領域に不要な非点収差を生じさせることは公知である。１つの領域における不要な非点収差は、上記累進面上の非点収差の位置に部分的に依存する大きさおよび配向軸を有するベクトルの量と考えることができる。累減面も不要な非点収差を有しており、この累減面におけるベクトルの大きさおよび軸は累進面の非点収差に決定力のある上記と同一のファクタによって決定される。しかしながら、上記累減面の非点収差の配向軸は、典型的には上記累進面の非点収差の配向軸と直交している。一方、上記累減面の非点収差の大きさは、同一軸における上記累進面の非点収差の大きさとは反対であると考えることができる。
【００１７】
それゆえに、不要な非点収差の領域を有する累進的なデザイン面をこれに相当する位置にある不要な非点収差の領域を有する累減的なデザイン面に結合すると、上記２つのデザイン面を結合してレンズの合成面を形成するときに不要な非点収差領域の総和が減少する。この理由は、ある所定位置におけるレンズの不要な非点収差が上記累進的なデザイン面における不要な非点収差と上記累減的なデザイン面における不要な非点収差とのベクトル和となるはずだからである。累進的なデザイン面および累減的なデザイン面における双方の非点収差の大きさが反対になるので、上記合成面における不要な非点収差の総和が低減される。累減的なデザイン面における不要な非点収差の配向軸が累進的なデザイン面上の相当位置での配向軸と同一である必要はないが、不要な非点収差の減少を最大化するように、双方の配向軸が実質的に同一であることが好ましい。
【００１８】
累進的なデザイン面における非点収差の少なくとも１つの領域は、上記合成面における不要な非点収差の減少を達成するために累減的なデザイン面における非点収差の１つの領域と整列されなければならない。局在した不要な最大非点収差の領域、すなわち双方のデザイン面における測定可能な不要な非点収差の最高レベル領域同士が整列することが好ましい。より好ましくは、１つのデザイン面における不要な非点収差の全領域が他のデザイン面における不要な非点収差の全領域と整列されている。
【００１９】
他の実施の形態では、上記デザイン面における遠用視野領域および近用視野領域同士ばかりでなく、それらのチャネル同士も整列されている。そのような方法で上記デザイン面を整列させることによって、累進的なデザイン面における不要な非点収差の１つまたはそれ以上の領域は、累減的なデザイン面における不要な非点収差の１つまたはそれ以上の領域と重なり合うはずである。他の実施の形態では、この発明は、１つまたはそれ以上の累進的なデザイン面と１つまたはそれ以上の累減的なデザイン面とを含み、本質的にこれらのデザイン面からなり、およびこれらのデザイン面のみからなるレンズの面を提供するものであり、ここで累進的なデザイン面および累減的なデザイン面における遠用視野領域、近用視野領域およびチャネルは実質的に整列されている。
【００２０】
この発明のレンズにおいては、合成面は、レンズの凸面、凹面または両面上に、あるいは両面間の層内に形成されてもよい。好適な実施の形態では、合成面は凸レンズ面を形成している。１つまたはそれ以上の累進的なデザイン面および１つまたはそれ以上の累減的なデザイン面は、上記合成面に用いられてもよいが、それぞれのデザイン面の一方に用いられることが好ましい。合成面が凸面と凹面との間の中間層である場合における実施の形態では、合成面に用いられる材料は、少なくとも約０．０１、好ましくは少なくとも約０．０５、より好ましくは少なくとも約０．１の差異をもつ屈折率のものであることが好ましい。
【００２１】
当業者は、この発明に有用な累進的なデザイン面および累減的なデザイン面がハードデザインタイプまたはソフトデザインタイプのいずれかであってもよいと認識するはずである。ハードデザインとは、不要な非点収差がデザイン面の光学中心より下側でありかつチャネルに隣接する視野領域内に集められているデザイン面を意味するものとする。ソフトデザインは、不要な非点収差が遠用視野領域の側方部へ延在されているデザイン面を意味するものとする。当業者は、加入屈折力に関し、ソフトデザインの不要な非点収差がレンズのより広い領域に分散されているので、ハードデザインの不要な非点収差の大きさがソフトデザインの不要な非点収差の大きさよりも大きいはずであると認識するはずである。
【００２２】
この発明のレンズにおいては、累進的なデザイン面がソフトデザインのものであり、かつ累減的なデザイン面がハードデザインのものであることが好ましい。それゆえに、さらに他の実施の形態では、この発明は、１つまたはそれ以上の累進的なデザイン面と１つまたはそれ以上の累減的なデザイン面とを含み、本質的にこれらのデザイン面からなり、これらのデザイン面のみからなるレンズ面を提供するものであり、ここで１つまたはそれ以上の累進的なデザイン面がソフトデザインのものであり、かつ１つまたはそれ以上の累減的なデザイン面がハードデザインのものである。より好ましくは、累進的なデザイン面は、上記面の加入屈折力よりも絶対値で低い不要な最大非点収差を有しており、累減的なデザイン面は、当該加入屈折力よりも絶対値で高い不要な最大非点収差を有している。
【００２３】
この発明の累進的な合成面は、まず、累進面と累減面とを設計することによって与えられる。上記複数の面は、どれも、累進的な合成面を形成するために、他方の面（単数あるいは複数）と結合するときに、局在した不要な最大非点収差の実質的に全ての領域が整列されるように設計されている。好ましくは、各面は、不要な最大非点収差の領域が整列されるように設計されており、上記複数の面のデザインが結合されて合成デザイン面を得るときに、その合成面は、合成デザイン面における最大非点収差の絶対値の総和と比べて、少なくとも約０．１２５ディオプトリ、好ましくは約０．２５ディオプトリだけ下回る局在した不要な最大非点収差を示すものである。
【００２４】
より好ましくは、累進面および累減面のそれぞれは、それらの面が結合されて合成面を形成するときに、その合成面が、合成面のチャネルの両側に局在した不要な最大非点収差の領域を１つ以上有するように設計されている。複数の最大値の使用は、合成面上の不要な非点収差の領域の大きさをさらに減少させることになる。さらに好適な実施の形態では、合成面において局在した不要な最大非点収差の領域はプラトーを形成する。最も好適な実施の形態では、合成面は、合成面のチャネルの両側にプラトー形状で形成された局在した不要な最大非点収差の領域を１つ以上有している。
【００２５】
合成デザイン面を形成するために用いられた累進面および累減面を設計することは、任意の公知設計方法を用いかつ機能に重点をおく技術分野における当業者の技術範囲内である。しかしながら、上記複数の面は、その面を多くの区域に分割しかつどの領域についても曲面の等式を与える設計方法を用いて設計されることが好ましい。この設計方法は、例えば米国特許第５，８８６，７６６号に開示されており、参照によってこの明細書にそのまま組み込まれるものとする。
【００２６】
この発明のレンズにおいて有用なデザイン面は、累進面および累減面を設計するための任意の公知方法を用いることによって提供されてもよい。例えば、市販の光線追跡ソフトウエアは上記複数の面を設計するのに用いられてもよい。さらに、上記複数の面の最適化は任意の公知方法によって実行されてもよい。
【００２７】
個別の面あるいは合成面の設計を最適化する場合には、任意の光学特性が最適化を御するのに用いられてもよい。好適な実施の形態では、近用視野領域における球面屈折力あるいはこれと同等の楕円柱面屈折力の定常性によって定義される近用視野領域の横幅が用いられてもよい。他の好適な実施の形態では、局在した不要な最大非点収差のピークまたはプラトーの大きさおよび位置が用いられてもよい。好ましくは、この方法の目的上、上記ピークおよびプラトーの位置はｘ＝０およびｙ＝０に位置する原点あるいはフィッティングポイントを有する円であってその中心からの半径が１５ｍｍのような円の外側に設定されている。より好ましくは、ピークのｘ座標は、│ｘ│＞１２になっており、ｙ座標は、ｙ＜−１２になっている。
【００２８】
最適化は、この発明の属する技術分野において公知の任意で利便性の高い方法によって実行されてもよい。特定のレンズ装着者の追加特性はデザインの最適化プロセスに導入されてもよい。その最適化プロセスは、限定することなしに、約１．５ｍｍ乃至約５ｍｍの瞳孔径のバラツキ、レンズ表面における前面頂点の後方約２５ｍｍ乃至約２８ｍｍの点における像収束、約７°乃至約２０°の汎視的な傾き、およびその他同種のもの、およびこれらの組み合わせを含むものである。
【００２９】
累進的な合成面を形成するのに用いられる累進的なデザイン面および累減的なデザイン面は、種々の方法のうち、任意の方法で表現されてもよい。表現方法としては、凹面曲率あるいは凸面曲率であってもよい基準曲率（ベースカーブ）から逸脱する弛みとして表現されることを含み、および、その弛みを表現方法として含むことが好ましい。好ましくは、上記複数のデザイン面は、第１面の（ｘ，ｙ）点における弛み値Ｚ1 が第２面の同一の（ｘ，ｙ）点における弛み値Ｚ2 に加えられるという１対１の基本的な意味で結合されている。「弛み」とは、座標（ｘ，ｙ）上に位置する累進面上の１点と、遠用視野領域の同一屈折力の参照球面上における上記座標と同一の座標上に位置する１点とのｚ座標の距離の絶対値を意味するものとする。
【００３０】
より詳細には、この実施の形態では、各面の設計および最適化の後に、当該面の弛み値が加算されて合成デザイン面が得られる。その加算は次の等式ＩＩＩに従ってなされる。
Ｚ（ｘ，ｙ）＝Σａi Ｚi （ｘ，ｙ）        （ＩＩＩ）
ここで、Ｚは点（ｘ，ｙ）におけるベースカーブから逸脱する合成面の弛み値であり、Ｚi は点（ｘ，ｙ）において結合されたｉ番目の表面に関して逸脱する弛みであり、ａi は各弛みを乗ずるのに用いられる係数である。どの係数も、約−１０と約＋１０との間、好ましくは約−５と約＋５との間、より好ましくは約−２と約＋２との間の値であってもよい。係数は、最高値の係数を約±１に変換するように選択されてもよく、他の係数はその値を下回るように適切に尺度決めされてもよい。
【００３１】
合成面にとって望ましい遠用視野領域および近用視野領域における屈折力が得られるように、各面ごとに同一の座標を用いて弛み値の加算を実行することが重要である。さらに、この加算は、合成面に任意のプリズムが導入されないように実行されなければならない。それゆえに、弛み値は、適切な座標系および原点を用いて各面の座標から加えられなければならない。好ましくは、上記座標系が基準とする原点は上記面のプリズム基準点、あるいはプリズムの最小点となるはずである。加算操作を実行する前に、一連の子午線に沿って定数または可変量ごとに１つの面の弛み値を他の面に相関して算定することが好ましい。上記算定は、ｘ−ｙ面、球面ベースカーブあるいは非球面ベースカーブ、または上記ｘ−ｙ面上の任意の線に沿ってなされてもよい。一方、上記算定はレンズにプリズムを導入するための角度変位と直線的な変位との組み合わせであってもよい。
【００３２】
累進的なデザイン面および累減的なデザイン面に関する遠用視野領域および近用視野領域における屈折力は、上記デザインが結合されて合成面を形成するときに、レンズの屈折力が装着者の視力を矯正するのに必要とされるように選択される。この発明に用いられる複数の累進的なデザイン面における加入屈折力は、それぞれ別個に約＋０．０１ディオプトリ乃至＋６．００ディオプトリ、好ましくは約＋１．００ディオプトリ乃至＋５．００ディオプトリ、より好ましくは約＋２．００ディオプトリ乃至＋４．００ディオプトリの範囲であってもよい。複数の累減的なデザイン面の加入屈折力は、それぞれ別個に約−０．０１ディオプトリ乃至−６．００ディオプトリ、好ましくは約−０．２５ディオプトリ乃至−３．００ディオプトリ、より好ましくは約−０．５０ディオプトリ乃至−２．００ディオプトリの範囲であってもよい。
【００３３】
上記レンズを形成するのに用いられる１つ以上の合成累進面、すなわち１つまたはそれ以上の累進面との結合に用いられた合成面の場合には、上記複数の面におけるそれぞれの加入屈折力は、それらの加入屈折力の組み合わせがレンズ装着者の近視力を矯正するのに必要な値と実質的に等しい値となるように選択される。上記複数の面におけるそれぞれの加入屈折力は、約＋０．０１ディオプトリ乃至＋３．００ディオプトリ、好ましくは約＋０．５０ディオプトリ乃至＋５．００ディオプトリ、より好ましくは約＋１．００ディオプトリ乃至＋４．００ディオプトリの範囲であってもよい。同様に、上記各面の遠用視野領域および近用視野領域における屈折力は、これらの屈折力の総和がレンズ装着者の遠視力および近視力を矯正するのに必要な値となるように選択される。一般に、各面における遠用視野領域の曲率は約０．２５ディオプトリ乃至約８．５０ディオプトリの範囲内になるはずである。好ましくは、凹面の遠用視野領域の曲率は約２．００ディオプトリ乃至約５．５０ディオプトリの範囲であり、凸面の曲率は約０．５ディオプトリ乃至約８．００ディオプトリの範囲であってもよい。各面における近用視野領域の曲率は約１．００ディオプトリ乃至約１２．００ディオプトリの範囲であるはずである。
【００３４】
眼科処方箋に適合させるように設計された球状面、円環状面、非球状面および非円環状面等の他の面は、上記合成累進面と組み合わせて、すなわち上記合成累進面に加えて用いられてもよい。さらに、個々の面は、それぞれ球状あるいは非球状の遠用視野領域を有してもよい。チャネル、すなわち眼が遠用視野領域から近用視野領域へ戻るように走査しているときに約０．７５またはそれ以上の不要な非点収差がない視野領域の回廊は、短くてもよいし、あるいは長くてもよい。局在した不要な最大非点収差は遠用視野領域または近用視野領域に、より接近してもよい。さらに、上記変動の任意の組み合わせは用いられてもよい。
【００３５】
好適な実施の形態では、この発明のレンズは、凸状の合成面と凹状の累進面とを有している。凸状の合成面は非球状の遠用視野領域および約１０ｍｍ乃至約２０ｍｍの長さを有するチャネルに関して対称あるいは非対称であってもよい。局在した不要な最大非点収差は近用視野領域よりも遠用視野領域の近傍に配置されており、好ましくは上記チャネルのいずれか一方の側に配置されている。より好ましくは、局在した不要な最大非点収差は、チャネルの加入屈折力が面の加入屈折力の約５０％に達する面上の点に左右されない。遠用視野領域は、約２．００ディオプトリ、好ましくは約１．００ディオプトリ、より好ましくは約０．５０ディオプトリに達する面にプラスの加入屈折力を与えるように非球面化されている。非球面化はフィッティングポイントを中心としかつ約１０ｍｍ、好ましくは約１５ｍｍ、より好ましくは２０ｍｍの半径を有する円の外側でなされてもよい。
【００３６】
この実施の形態における凹状の累進面は非対称的、好ましくは球状の遠用視野領域および約１２ｍｍ乃至約２２ｍｍの長さを有するチャネルを備えた非対称的なハードデザインである。遠用視野領域は、約０．５０ディオプトリ、好ましくは約０．２５ディオプトリを下回るプラスの加入屈折力を与えるように設計されている。局在した不要な最大非点収差は、近用視野領域、好ましくはチャネルのうち、下側３分の２のいずれか一方の側に配置されている。
【００３７】
他の実施の形態では、この発明のレンズは、凸状の合成面と凹状の累減面とを有している。さらに他の実施の形態では、レンズは、凸状の合成面と、中間層としての累減面と、凹状の楕円柱面とを有している。他の実施の形態では、凸面は合成面であり、累減面は中間層であり、凹面は従来の累進面である。全ての実施の形態では、全ての面における遠用視野領域、中間視野領域および近用視野領域が不要な非点収差がないように整列されることが重要である。
【００３８】
この発明のレンズは、眼用レンズの製造に適した公知の任意材料で構成されてもよい。そのような材料は市販されているか、あるいは公知の製法で製造されるかのいずれかである。さらに、上記レンズは、限定することなしに、グラインディング法、レンズ全体に対するキャスト法、モールド法、熱成形法、ラミネーション法、表面キャスト法、あるいはこれらの製法を組み合わせた方法を含む従来のあらゆるレンズ製造技術によって製造されてもよい。好ましくは、レンズは、まず光学的な予備成形品、すなわち累減面を備えたレンズを作製することによって製造される。上記予備成形品は、限定することなしに、射出成形法または射出・圧縮成形法、熱成形法またはキャスト法を含むあらゆる利便性の高い方法によって製造されてもよい。次に、少なくとも１つの累進面が上記予備成形品上に造られる。キャスト法は、あらゆる方法によって実行されてもよいが、米国特許第５，１４７，５８５号、同第５，１７８，８００号、同第５，２１９，４９７号、同第５，３１６，７０２号、同第５，３５８，６７２号、同第５，４８０，６００号、同第５，５１２，３７１号、同第５，５３１，９４０号、同第５，７０２，８１９号および同第５，７９３，４６５号に開示されているような方法を限定なしに含む表面キャスト法によって実行されることが好ましい。上記米国特許は、参照によってこの明細書にそのまま組み込まれるものとする。
【００３９】
この発明は、この発明を限定しない次の実施例の検討によってさらに明白にされるはずである。
【００４０】
実施例
実施例１．
ソフトデザインの凸状累進面を、弛み値Ｚ1 が遠用視野領域における５．２３ディオプトリのベースカーブから逸脱した弛み値を示す弛みテーブルとして製造した。図２ａおよび図２ｂには、この面の乱視屈折力等高線および屈折力等高線が描かれている。加入屈折力は１．７９ディオプトリであり、チャネル長は１３．３ｍｍであり、局在した不要な最大非点収差はｘ＝−８ｍｍおよびｙ＝−８ｍｍで１．４５ディオプトリであった。用いられたプリズム基準点はｘ＝０およびｙ＝０であり、屈折率（ＲＩ）は１．５６であった。
【００４１】
ハードデザインの累減的なデザイン面は、弛み値Ｚ2 が遠用視野領域における５．２２ディオプトリのベースカーブから逸脱した弛み値を示す弛みテーブルとして製造した。図３ａおよび図３ｂには、この面の乱視屈折力等高線および屈折力等高線が描かれている。加入屈折力は−０．５３ディオプトリであり、チャネル長は１０．２ｍｍであり、局在した不要な最大非点収差はｘ＝−１０ｍｍおよびｙ＝−１０ｍｍで０．７１ディオプトリであった。用いられたプリズム基準点はｘ＝０およびｙ＝０であり、ＲＩは１．５６であった。
【００４２】
凸状の合成デザイン面を、弛み値の逸脱を生じさせるためにａ1 ＝ａ2 ＝１である等式ＩＩＩを用いて作製した。図４ａおよび図４ｂには、上記合成面の乱視屈折力等高線および屈折力等高線が描かれており、その面は５．２３ディオプトリのベースカーブと１．２８ディオプトリの加入屈折力とを有している。上記合成面は、チャネルのいずれか一方の側に配置された１つの局在した不要な最大非点収差を含むものである。この最大非点収差の大きさは０．８７ディオプトリであり、チャネル長は１３．０ｍｍであった。上記合成面の非点収差の領域はｘ＝−１０ｍｍおよびｙ＝−１８ｍｍに配置された。最大非点収差および標準レンズディストーションは、他の光学パラメータとの折り合いをつけることなしに、比較可能な従来の加入屈折力レンズよりもかなり小さいものであった。例えば、バリラックス・コンフォート（ＣＯＭＦＯＲＴ：登録商標）レンズは、表２に示されているように、１．２５ディオプトリの加入屈折力に関して、１．４１ディオプトリの最大非点収差と３６１の標準レンズディストーションを有している。合成レンズ面に関して、最大非点収差は０．８７ディオプトリであり、上記レンズの標準レンズディストーションは２６５となるように算定されている。
【００４３】
実施例２．
凹状の累進面を、屈折率１．５７３、ベースカーブ５．３６ディオプトリおよび加入屈折力０．７５ディオプトリの材料を用いて作製した。図５は、上記面の乱視屈折力等高線を描いている。局在した最大非点収差は、ｘ＝−１６ｍｍおよびｙ＝−９ｍｍで０．６６ディオプトリであった。用いられたプリズム基準点はｘ＝０およびｙ＝０であった。
【００４４】
この凹状の累進面を、実施例１で得られた凸状の合成面と結合して、０．０８ディオプトリの遠用視野領域屈折力および２．００ディオプトリの加入屈折力を備えたレンズを形成した。表２には、このレンズ（実施例２）の重要な光学パラメータが掲載されており、図６ａおよび図６ｂには、乱視屈折力等高線および屈折力等高線が描かれている。最大非点収差は、バリラックス・コンフォート（ＣＯＭＦＯＲＴ：登録商標）レンズ（従来レンズ１、図７ａおよび図７ｂ）のような表１に示された従来のレンズよりかなり小さい１．３６ディオプトリであった。上記レンズの標準レンズディストーションは、表３の従来レンズよりかなり小さい２８７となるように算定されている。さらに、他の光学パラメータとの折り合いは全くない。
【００４５】
実施例３．
この発明の問題解決への取り組み方であるデザインの特性が特定の光学パラメータ、特に、近用視野領域における屈折力の横幅を最適化することを実証するために、凹状の累進面を、屈折率１．５７３、ベースカーブ５．４ディオプトリおよび加入屈折力０．７５ディオプトリの材料を用いて設計した。図８には、上記累進面の乱視屈折力等高線が描かれている。局在した最大非点収差は、ｘ＝−１５ｍｍおよびｙ＝−９ｍｍで０．５１ディオプトリであった。用いられたプリズム基準点はｘ＝０およびｙ＝０であった。
【００４６】
この凹状の累進面を、実施例１で得られた凸状の合成面と結合して、０．０５ディオプトリの遠用視野領域屈折力および２．００ディオプトリの加入屈折力を備えたレンズを形成した。表２には、このレンズ（実施例３）の重要な光学パラメータが掲載されており、図９ａおよび図９ｂには、乱視屈折力等高線および屈折力等高線が描かれている。最大非点収差は、バリラックス・コンフォート（ＣＯＭＦＯＲＴ：登録商標）レンズ（従来レンズ１、図７ａおよび図７ｂ）のような表１に示された従来のレンズよりかなり小さい１．３７ディオプトリであった。上記レンズの標準レンズディストーションは、表３の従来レンズよりかなり小さい２８９となるように算定されている。低下した凹状の累進面の非点収差は上記乱視屈折力等高線を平坦にし、近用視野領域における屈折力の横幅は７．４ｍｍから８．６ｍｍへと増加する。他の光学パラメータとの折り合いは全くない。
【表１】
2004524582.tif 000003
【表２】
2004524582.tif 000004
【表３】
2004524582.tif 000005
【図面の簡単な説明】
【００４７】
【図１】累進焦点レンズのディストーション領域を示す正面図である。
【図２ａ】実施例１の累進焦点レンズに使用される累進面の乱視屈折力等高線を示す正面図である。
【図２ｂ】実施例１の累進焦点レンズに使用される累進面の屈折力等高線を示す正面図である。
【図３ａ】実施例１の累進焦点レンズに使用される累進面の乱視屈折力地図を示す正面図である。
【図３ｂ】実施例１の累進焦点レンズに使用される累進面の屈折力地図を示す正面図である。
【図４ａ】実施例１の合成面の乱視屈折力等高線を示す正面図である。
【図４ｂ】実施例１の合成面の屈折力等高線を示す正面図である。
【図５】実施例２の凹状の累進面の乱視屈折力等高線を示す正面図である。
【図６ａ】実施例２の累進焦点レンズの乱視屈折力等高線を示す正面図である。
【図６ｂ】実施例２の累進焦点レンズの屈折力等高線を示す正面図である。
【図７ａ】従来の累進焦点レンズの乱視屈折力等高線を示す正面図である。
【図７ｂ】従来の累進焦点レンズの屈折力等高線を示す正面図である。
【図８】実施例３の累進焦点レンズにおける凹状の累進面の乱視屈折力等高線を示す正面図である。
【図９ａ】実施例３の累進焦点レンズの乱視屈折力等高線を示す正面図である。
【図９ｂ】実施例３の累進焦点レンズの屈折力等高線を示す正面図である。
【国際公開パンフレット】
2004524582.tif 000006
2004524582.tif 000007
2004524582.tif 000008
2004524582.tif 000009
2004524582.tif 000010
2004524582.tif 000011
2004524582.tif 000012
2004524582.tif 000013
2004524582.tif 000014
2004524582.tif 000015
2004524582.tif 000016
2004524582.tif 000017
2004524582.tif 000018
2004524582.tif 000019
2004524582.tif 000020
2004524582.tif 000021
2004524582.tif 000022
2004524582.tif 000023
2004524582.tif 000024
2004524582.tif 000025
2004524582.tif 000026
2004524582.tif 000027
2004524582.tif 000028
2004524582.tif 000029
2004524582.tif 000030
2004524582.tif 000031
2004524582.tif 000032
2004524582.tif 000033
2004524582.tif 000034
2004524582.tif 000035
2004524582.tif 000036
2004524582.tif 000037
【国際公開パンフレット（コレクトバージョン）】
2004524582.tif 000038
2004524582.tif 000039
【国際調査報告】
2004524582.tif 000040
2004524582.tif 000041
2004524582.tif 000042
2004524582.tif 000043
2004524582.tif 000044